(57)【要約】【課題】省スペースでの遮光構造を備える電子機器の提供。【解決手段】発光部の遮光を、操作部の裏側に固定したシート状部材に一体で形成された曲げ部で構成する。【選択図】図７
2013206661.tif 000002
【特許請求の範囲】
【請求項１】
発光部と
前記発光部に近接して配置された
押圧動作を行うボタンと
前記ボタンの動作によって操作されるスイッチ素子と、
前記ボタンの裏面に固定された遮光シートと、を有し
前記遮光シートは
前記ボタンの裏面と
動作方向に並行な方向に折り曲げられた曲げ部を有しており
前記ボタンの非押圧状態で
前記遮光シートの前記曲げ部周囲の一部が弾性変形により撓んでおり
前記ボタンの押圧状態で
前記遮光シートの前記曲げ部周囲の撓みが、前記非押圧状態と比較して
小さくなる
ことを特徴とする電子機器。
【請求項２】
前記ボタンの裏面に固定された遮光シートには
前記スイッチ素子押圧用の突出部の径に対応する孔部が設けられており
前記スイッチ素子押圧用の突出部と前記孔部との係合と
前記折り曲げ部が、前記前記操作ボタンのフランジへ当節することによる回り止めによって
前記遮光シートの位置決めがなされ
前記ボタンの裏面の一部に固定される
ことを特徴とする請求項１に記載の電子機器。
【発明の詳細な説明】
【技術分野】
【０００１】
本発明は、操作部と、操作部に近接した位置に発光部を有する電子機器に関するものである。
【背景技術】
【０００２】
近年、撮像レンズ後方に、フィルムの代わりに撮像センサーが配置されたデジタルカメラが市場に多く投入されている。撮像センサーはレンズから入射した光を電気信号に変換して出力する光電変換装置であり、出力された電気信号は、内部の信号処理回路にて、画像信号に変換されることで撮影が行われる。
【０００３】
デジタルカメラは駆動するために電源を必要とするため、電源投入操作を行う為の電源ボタンが設けられており、電源ボタンを押圧する度に、本体の電源のオン/オフが切り替わる方式が一般に多く使われている。
【０００４】
デジタルカメラの電源ボタンの押圧を行い、電源がオンになった状態で、本体上部に設けられているレリーズボタンを操作することで、撮影を行う事が出来る。このように、本体の電源がオンで、撮影が出来る状態は、撮影待機状態と呼ばれている。
【０００５】
また、一般的なデジタルカメラでは、撮影待機状態であることを認識できるよう、発光部が表示装置として設けられており、内部に設けた基板に実装されている発光制御手段によって、撮影待機状態にて発光部が点灯するようになっている。
【０００６】
この場合、発光部は、電源ボタンの操作に連動して動作するので、電源ボタンと、発光部の関連性を強調するため為 、電源ボタンと、発光部を出来る限り近接させて配置している。
【０００７】
そのため、発光部の漏れ光が、電源ボタンの動作に必要な、電源ボタン周囲の隙間や、電源ボタンの透けにより外部に漏れ出ることを防止するため、発光部の発光源周囲を遮光壁で覆う構成となっている。
【０００８】
また、特許文献１に開示されている電子機器では、発光源からの光が外部に漏出することを阻止するため、変形量の大きい弾性部材を厚み方向に使用するため、非常に大掛かりで大きさを必要とする構成となっている。
【先行技術文献】
【特許文献】
【０００９】
【特許文献１】特開平６−５４０８号公報
【発明の概要】
【発明が解決しようとする課題】
【００１０】
近年、カメラ本体の小型化が進み、遮光壁の配置スペースが少なくなってきており、特許文献１に開示されている電子機器のような大掛かりな遮光構造を実施するスペースがなくなってきている。
【００１１】
上記を鑑み、省スペースでの遮光構造の実現が本発明の課題である。
【課題を解決するための手段】
【００１２】
上述した目的を達成するために、本願の請求項１〜請求項２に記載した手段を用いる。
【発明の効果】
【００１３】
本発明によれば、省スペースでの遮光構造が可能となる。
【図面の簡単な説明】
【００１４】
【図１】本発明に関る実施の形態の、カメラの外観を表す斜視図
【図２】本発明に関る実施形態の、内部構造を表す斜視図
【図３】本発明に関る実施形態の、内部構造を表す斜視図
【図４】本発明に関る実施の形態の、カバーの構成を表す分解斜視図
【図５】本発明に関る実施の形態の、電源ボタンの構成を表す分解斜視図
【図６】本発明に関る実施の形態の、電源ボタンの構成を表す斜視図
【図７】本実施例にかかわる実施形態の、カメラの動作を表す断面図
【発明を実施するための形態】
【００１５】
以下に、本発明の実施の形態を、好適な実施例に基づき、図面を用いて詳細に説明する。
【００１６】
＜第１の実施形態＞
図１は、本発明に関る実施の形態のデジタルカメラの外観を表す斜視図である。特に、図１ａはカメラを被写体側（以下、表側）から見た斜視図であり、図１ｂはカメラを撮影者側（以下、背面側）から見た斜視図である。
【００１７】
本実施例のデジタルカメラ（以下  カメラ）は、撮影レンズ１０と、撮影レンズ後方に配置されている不図示の撮像センサーと、カメラ背面に配置された表示部２０と、電源ボタン３０と、レリーズボタン４０と、ＬＥＤ発光部５０が設けられており、内部に設けられた制御基板に実装されたマイコンによって、それぞれの動作の制御が行われる。
【００１８】
ここで、撮像センサーは、撮影レンズ１０から入射した光を電気信号に変換する光電変換装置で、表示部２０は被写体画像確認用の液晶表示パネルである。
【００１９】
電源ボタン３０は、カメラの電源投入を行う操作部である。ユーザーによる電源ボタンの押圧が行われると、内部の信号処理回路に電源が投入された撮影待機状態に移行する。撮影待機状態では、レンズ１０が収納状態から繰り出す。その後、撮像センサーから出力される電気信号が、内部の信号処理回路にて画像信号に変換され、背面の表示部２０にスルー画像として表示される。
【００２０】
ユーザーは、表示部２０に表示されたスルー画像を確認し、撮影画像の構図を決めたのち、レリーズボタン４０を押しこむことで撮影を行う事が出来る。
【００２１】
表示部２０に表示されるスルー画像は、機器の電力を多く消費する。そのため、本実施例のカメラは、電力消費を抑えるため、一定時間操作が行われない場合、表示部２０をオフとし、消費電力を抑える省電モードに移行するようになっている。また、省電モードから、撮影待機状態への復帰は、レリーズボタン４０の操作で行われる。
【００２２】
省電モードは、電源オフ状態とは異なり、例えば電源と連動するレンズの収納などを行わない。そのため、省電モードからレリーズボタン４０を操作しての復帰は、電源ボタン３０を操作して行う電源操作と比較し、非常に短時間で行う事が出来る。
【００２３】
また、長秒時露光撮影時にも、撮影中表示部２０のスルー画が消え、黒画の状態となる。
【００２４】
このため、本実施例のカメラは、電源が投入された撮影待機状態であることを認識できるよう、発光部５０が設けられており、内部に設けた基板に実装されている発光制御手段によって、カメラの電源投入時は常に発光部５０が点灯するようになっている。
【００２５】
ここで、電源投入を表す発光部５０は、電源ボタン３０の操作に連動して動作するので、電源ボタン３０と、発光部５０の関連性を強調するため為 、電源ボタン３０と、発光部５０を近接させて配置している。
【００２６】
そのため、本実施例のカメラは、電源ボタン３０周囲からの光漏れによる品位低下と、電源ボタンの透けによる品位低下を防止するため、以下に示す遮蔽構造を有している。
【００２７】
以下、本実施例における、発光部と電源ボタンの遮蔽構造について詳しく説明を行う。
【００２８】
図２、図３は、本発明に関る実施形態の、内部構造を表す斜視図で、特に、図２は、外装カバー組み付け時の状態を表す図であり、図３は、外装カバーが取り払われた状態を表す図である。
【００２９】
図２に示すように、本実施例のカメラは、外観操作部３０が固定された外装のカバー９０を、電気部品などが実装されている内部の構造物に対して、後ろ側から組み込む構成となっている。
【００３０】
また、図２、図３に示すように、発光部５０の直下には、内部の制御基板に電気的に接続された発光ＬＥＤ素子５０１が実装されている。本実施例のカメラは、発光ＬＥＤ素子５０１の光りが発光部５０に導光され、外装カバーの孔９０５から露出している部分が視認出来る構成となっている。
【００３１】
図４は、本実施例のカメラの外装カバーにおける、電源ボタン３０周辺部の構成を表した分解斜視図であり、図５は、電源ボタン３０の構成を表した分解斜視図である。
【００３２】
本実施例における発光部５０は、透明の樹脂材料にて形成されており、外装カバー９０の孔９０５に係合することで固定されている。
【００３３】
図４、図５に示すように、本実施例の電源ボタン３０には、ヒンジ部３０３と、固定部３０９が形成されている。
【００３４】
電源ボタン３０は、外周にフランジ３０８を有し、裏面にスイッチ素子３０１を押圧する押し子３０２が配設されている。また、電源ボタン３０は、ヒケ防止のため、押し子３０２周囲を肉抜きされ、肉厚の部分が無いように形成されている。
【００３５】
固定部３０９には、凸形状３０４、３０５が設けられており、凸形状３０４、３０５が外装カバーの孔部９０３、９０４に係合することによって、電源ボタン３０は、外装カバー９０に動作自在な状態で配設される。
【００３６】
ヒンジ部３０３は、固定部３０９と、電源ボタン３０との間を繋ぐ、蛇腹形状の腕部であり、弾性を有したヒンジ部である。ヒンジ部３０３が弾性を有することにより、固定部３０９に対して、電源ボタン３０が弾性的に動作可能となっている。これにより、電源ボタン３０は、押圧動作による押しこみ位置からの復帰を可能にしている。
【００３７】
図３に示すように、本実施例のカメラでは、電源ボタン３０の直下にあたる部分には、内部の制御基板に電気的に接続されている、スイッチ素子３０１が実装されている。そのため、本実施例のカメラは、電源ボタン３０を押圧することによって、押し子３０２がスイッチ素子３０１を押圧し、信号の切り替えが行われる。
【００３８】
また、図５に示すように、本実施例の電源ボタン３０の裏側には、一片を立ち曲げたシート部材６０が固定されている。
【００３９】
ここで、シート部材６０は、中央に電源ボタン３０の押し子３０２と係合する孔６０１を有し、端部の一片に立ち曲げ６０２が形成された、遮光用の黒ＰＥＴシートである。シート部材６０は、２点鎖線で囲まれた範囲に貼られた両面テープ６０３によって、電源ボタン３０の裏側に固定されている。
【００４０】
両面テープ６０３は、シート部材６０の全面ではなく、立ち曲げ６０２から遠い部分のみに設定し（２点鎖線内側の範囲）、逆に立ち曲げ６０２の根元付近には、両面テープが無いように設定されている。これによって、後述するシート部材の撓みが可能となっている。
【００４１】
図６は、外観操作部３０にシート部材６０が組み付けられた状態を表す斜視図である。
【００４２】
図６に示すように、シート部材６０は、組み付けの際、電源ボタンの押し子３０２で位置決めされ、立ち曲げ６０２が、電源ボタンのフランジ直線部３０８に突き当たることで一意的に位置が決まるようになっている。
【００４３】
このような構成とすることで、位置決め用に、特別な形状を設ける必要無く、シート部材６０を貼り付けることが出来る。
【００４４】
電源ボタン３０の肉抜き部は、肉厚が薄いため、後述する発光ＬＥＤ素子５０１の光りが透けやすい箇所となっているが、本実施例のように、電源ボタン３０の裏面に、遮光用のシート部材６０を貼り付けることによって、裏側の肉抜き部を覆う事が出来る。これによって、シート部材６０によって、発光ＬＥＤ素子５０１の光りを遮断することが出来るため、光透けが起きない。
【００４５】
以下、本実施例における、動作について詳しく説明を行う。
【００４６】
図７は本実施例におけるカメラの、電源ボタン３０と、発光部５０の構成を表す断面図である。特に、図７（ａ）は、電源ボタン３０が押圧されていない自然状態で、図７（ｂ）は、電源ボタン３０が、ユーザーによって押圧された瞬間の状態を表す図である。
【００４７】
本実施例のカメラの自然状態は、押し子３０１が、スイッチ素子３０１に当節した状態となっており、外装のカバー９０と、フランジ３０８の間に、部品のバラツキを考慮した隙間９０１ａを設けた設計となっている。
【００４８】
また、前述のように、電源ボタン３０裏側にシート部材６０が固定されているが、ここで、組み付け状態におけるシート部材６０は、折り曲げ部６０２の先端が外装カバー９０に当節し、撓み６０５ａが発生するようになっている。これによって、前述の隙間９０１ａ部を、シート部材の折り曲げ部６０２で遮蔽することが出来る。
【００４９】
また、本実施例の電源ボタン３０は、キートップ裏側の押し子３０２によって、スイッチ素子３０１を押圧することによって、信号の切り替えが行われる。
【００５０】
図７（ｂ）は、電源ボタン３０が、ユーザーによって押圧された瞬間の状態を表す図である。
【００５１】
図のように、電源ボタン３０を押圧することによって、隙間９０１ｂは拡大するが、シート部材６０の撓み６０５ｂが小さくなることで吸収される。すなわち、自然状態と比較して、シート部材６０の撓み６０５ｂが小さくなることで、電源ボタン３０押しこみ時においても、前述の隙間９０１ｂ部を、シート部材の折り曲げ部６０２で遮蔽することが出来る。
【００５２】
ここで、本実施例では、シート部材６０の折り曲げ部付近の撓み６０５によって、電源ボタン３０の押圧荷重が、シート部材６０の有無によって変化しないよう、シート部材の立ち曲げ部６０２の配置を、電源ボタン３０と接続されているヒンジ部３０３の延在方向に対して、垂直の方向に設けている。これにより、ヒンジ３０３による反力と、シート部材のたわみ部６０５の弾性による反力が、互いに影響しないように９０度ずらずことで、操作時の違和感を小さくしている。
【００５３】
このように、本実施例のカメラでは、電源ボタン３０と、外装のカバー９０との隙間９０１を、電源ボタン３０に固定されたシート部材６０の立ち曲げ部６０２で覆う事で、発光ＬＥＤ素子５０１の光りが、隙間９０１から外部に漏れることがない。
【００５４】
本発明により、シート部材１枚分のきわめて小さなスペースで遮光構造を実現出来る。
【００５５】
また、近年のカメラでは、本体色の多様化により、透けやすい白などのモデルの投入も行われてきている。白の樹脂材は、黒の樹脂材と比較して光が透けやすいので、白の樹脂材にて遮光壁を形成する場合は、黒の樹脂材よりも厚い遮光壁が必要となっている。
【００５６】
また、白モデルや黒モデルなどのカラーバリエーションは、一般的に形状を変えることなく本体の色のみを変更するので、白の樹脂材など、不利なカラーバリエーションの遮光対策を十分に行うために、他のカラーバリエーションモデルも対策を行う必要があり、これによる製品の大型化や、コストアップが懸念されていた。
【００５７】
本発明の遮光構造は、形状の変更なくシート部材を追加することによって行うことが出来るので、白の樹脂材など、不利なカラーバリエーションに対してのみ、遮光対策を行う事が可能となる。そのため、黒モデルなど、他のカラーバリエーションモデルにて、大型化や、コストアップ無く、遮光対策を行うことが出来る。
【符号の説明】
【００５８】
３０  電源ボタン
４０  レリーズボタン
５０  発光部
６０  シート部材
９０  外装のカバー
３０１  スイッチ素子
３０２  押し子
３０３  ヒンジ部
３０９  固定部
５０１  発光ＬＥＤ素子
６０２  立ち曲げ部
６０３  両面テープ
【図１】
2013206661.tif 000003
【図２】
2013206661.tif 000004
【図３】
2013206661.tif 000005
【図４】
2013206661.tif 000006
【図５】
2013206661.tif 000007
【図６】
2013206661.tif 000008
【図７】
2013206661.tif 000009